(57)【要約】  【課題】高輝度、均一照射が可能で、軽量で携帯性に優れ、且つ原紙載置板の透明部または半透明部上での均一輝度が得られるトレース台を提供する。  【解決手段】ＥＬ発光部材１４の一面に接して配設された透明部または半透明部を有する第１の基板１１と、ＥＬ発光部材１４の他面に接して配設された第２の基板１２と、ＥＬ発光部材１４に電源を供給するための電極１５を備える。ここで、ＥＬ発光部材１４または透明部または半透明部の少なくとも一表面部は光散乱構造とした。【選択図】      図１
2005169704.tif 000002
【特許請求の範囲】
【請求項１】
ＥＬ発光部材の一面に接して配設された透明部または半透明部を有する第１の基板と、前記ＥＬ発光部材の他面に接して配設された第２の基板と、前記ＥＬ発光部材に電源を供給するための電極部を備えることを特徴とするトレース台。
【請求項２】
ＥＬ発光部材の一面に接して配設された透明部または半透明部を有する第１の基板と、前記ＥＬ発光部材の他面に接して配設された第２の基板と、前記ＥＬ発光部材に電源を供給するための電極部とを備えるとともに、前記ＥＬ発光部材の少なくとも一表面を光散乱構造としたことを特徴とするトレース台。
【請求項３】
ＥＬ発光部材の一面に接して配設された透明部または半透明部を有する第１の基板と、前記ＥＬ発光部材の他面に接して配設された第２の基板と、前記ＥＬ発光部材に電源を供給するための電極部とを備えるとともに、前記透明部または半透明部の少なくとも一表面を光散乱構造としたことを特徴とするトレース台。
【請求項４】
前記第１と第２の基板はプラスティック材から成り、前記第１の基板は周辺部を除いて開口部が設けられ、この開口部に半透明板材が設けられていることを特徴とする請求項１乃至３のいずれかに記載のトレース台。
【請求項５】
前記第１と第２の基板の片側は固定、係止され、他方は開放可能な構造であることを特徴とする請求項１乃至４のいずれかに記載のトレース台。
【請求項６】
前記第１と第２の基板及びＥＬ発光部材は互いに密着されていることを特徴とする請求項１乃至５のいずれかに記載のトレース台。
【発明の詳細な説明】
【技術分野】
【０００１】
本発明はトレース台に関し、原紙の上に重ね合わせたトレース用紙（薄紙）に重ね書きするのに有益なトレース台に関する。
【背景技術】
【０００２】
従来、机上に置かれた原紙に表記されたトレース模様、図等を、原紙上に重ねられたトレース用紙に写し取る、いわゆるトレース作業においては、原紙の背後から光を当ててトレース用紙を通してできるだけ明確にトレース対象が見えるようにすることが作業効率上欠かせない。このような作業を行うために用いられるのがトレース台である。通常、トレース台は、その内部には蛍光灯が配設され、その上部に半透明ガラス等の半透明板を配置し、この半透明板上に原紙とトレース用紙を重ねて置いて原紙の背後から蛍光灯光を照射するように構成される。
【０００３】
従来、かかるトレース台において原紙の背後から光を照射するための光源として蛍光灯が用いられている。蛍光灯は、白熱電球と比較して、電力消費が少なく、また照射光の波長（色）の選定も比較的容易であるため広く用いられている。
【発明の開示】
【発明が解決しようとする課題】
【０００４】
上述のように、従来のトレース台では、内部に蛍光灯が配設されている。一方、蛍光灯は厚み（蛍光灯の径方向の長さ）があり、どうしてもトレース台が厚くなってしまい、また、蛍光灯は原紙を配置させる半透明板から離隔配置されていることにも起因してある程度の大型化が避けられず、持ち運びや携帯性の問題がある。
【０００５】
また、蛍光灯は細長い円柱状であるため上記半透明板を下面から均一に照射するには、複数の蛍光灯を並設しなければならない。したがって、どうしても重量的には重くならざるを得ず、携帯性面の問題を生ずる。蛍光灯光の照射強度（明るさ）はある程度満足されても、離隔的に並設された個々の蛍光灯からの照射パターンは上記半透明板の面方向でバラツキがあり、半透明板面を均一に照射することができず、不均一な照射になってしまい、細かなトレース作業をする上では障害の一因となる。
【０００６】
本発明は、従来技術の上述した課題に鑑みなされたものであり、本発明の主要な目的は、高輝度、均一照射が可能で、軽量で携帯性に優れ、且つ原紙載置板の透明部または半透明部上での均一輝度が得られるトレース台を提供することにある。
【課題を解決するための手段】
【０００７】
前述の課題を解決するため、本発明によるトレース台は、次のような特徴的な構成を採用している。
【０００８】
（１）ＥＬ発光部材の一面に接して配設された透明部または半透明部を有する第１の基板と、前記ＥＬ発光部材の他面に接して配設された第２の基板と、前記ＥＬ発光部材に電源を供給するための電極部を備えるトレース台。
【０００９】
（２）ＥＬ発光部材の一面に接して配設された透明部または半透明部を有する第１の基板と、前記ＥＬ発光部材の他面に接して配設された第２の基板と、前記ＥＬ発光部材に電源を供給するための電極部とを備えるとともに、前記ＥＬ発光部材の少なくとも一表面を光散乱構造としたトレース台。
【００１０】
（３）ＥＬ発光部材の一面に接して配設された透明部または半透明部を有する第１の基板と、前記ＥＬ発光部材の他面に接して配設された第２の基板と、前記ＥＬ発光部材に電源を供給するための電極部とを備えるとともに、前記透明部または半透明部の少なくとも一表面を光散乱構造としたトレース台。
【００１１】
（４）前記第１と第２の基板はプラスティック材から成り、前記第１の基板は周辺部を除いて開口部が設けられ、この開口部に半透明板材が設けられている上記（１）乃至（３）のいずれかのトレース台。
【００１２】
（５）前記第１と第２の基板の片側は固定、係止され、他方は開放可能な構造である上記（１）乃至（４）のいずれかのトレース台。
【００１３】
（６）前記第１と第２の基板及びＥＬ発光部材は互いに密着されている上記（１）乃至（５）のいずれかのトレース台。
【発明の効果】
【００１４】
本発明のトレース台によると次の如き実用上の顕著な効果を有する。すなわち、高輝度で均一な発光が可能でトレース用紙を均一に照射でき、また薄型かつ軽量であるため携帯性に優れているだけでなく、トレース用紙を置く半透明材から成る原紙載置板の少なくとも一面側を光散乱構造としているため、原紙載置板１３とＥＬ発光部材１４間の密着面の密着状態に起因する“にじみ”の発生がなく、違和感のないトレース作業が可能となる。
【実施例１】
【００１５】
以下、本発明によるトレース台の好適実施例の構成および動作を、添付図面を詳細に説明する。
【００１６】
図１は、本発明によるトレース台の簡略化した斜視図である。図１において、本実施例のトレース台は、好ましくは比較的硬い板材で構成される２枚の基板、例えば、プラスティック材から成る上基板１１と下基板１２を有し、上基板１１は周辺部を除いて開口部が設けられ、この開口部に原紙を載置する透明板材または半透明板材から成る原紙載置板１３が設けられている。
【００１７】
従来は、光源からの光が直接トレーサーの眼に入ることによる“まぶしさ”や不均一な光が原紙に照射されることによる作業効率の低下等の問題を回避するため、半透明板材を使用せざるを得なかったが、本発明では、ＥＬ発光部材は直接半透明膜材で覆うことができるので、透明板材を使用することができる。
【００１８】
図１においては、理解を容易にするため、２枚の基板１１と１２の片側を開いて示されているが、通常は両基板１１と１２は重畳配設されている。これら上基板１１と下基板１２の間にはＥＬ発光部材１４が配設されている。ＥＬ発光部材１４の端部には外部からの電源を受けるための電極１５が形成されている。これら上基板１１と下基板１２は片側が固定、係止されており、他方は開放可能な構造とすることにより、ＥＬ発光部材１４の設置、取り外しを容易としている。
【００１９】
ＥＬ発光部材１４は、公知のＥＬ発光素子を用いて構成することができる。ＥＬ発光素子は、高輝度特性をもち全面発光する特性をもっているため、従来の蛍光灯を用いた場合と比較して原紙載置板１３の半透明板材への照射が均一となり、かつその輝度も高輝度となる。また、薄型化も容易で携帯性を図る上でも好ましいものである。
【００２０】
図２は、上記実施例によるトレース台の使用状態を示す斜視図であり、２枚の基板１１と１２がＥＬ発光部材１４を挟んで密着構成されている。
【００２１】
ＥＬ（エレクトロルミネッセント）素子は、薄型の面状発光素子で、直流の低電圧駆動、高輝度発光が期待できる。その基本構造は、図３に示すように、有機化合物の発光層１４０が２枚の電極（アノード１４１とカソード１４２）で挟まれた構造であり、例えば、基板上にインジウム−スズ酸化物(ＩＴＯ)透明電極(アノード)１４１、ホール転送性の有機化合物とドーパントである電子受容性の化合物を共蒸着により成膜されたホール転送層１４３、ＥＬ発光層１４０、電子転送層１４４、背面電極(カソード)１４２を積層した構造が代表的な構造である。ＥＬ素子の発光は、ＩＴＯ透明電極から注入されたホールと背面電極から注入された電子がＥＬ発光層で再結合し、発光中心である蛍光色素などを励起することにより生ずる。
【００２２】
以上のような構造を有するトレース台では、ＥＬ発光部材１４は、高輝度で均一な発光が可能で、また薄型かつ軽量であるため、このＥＬ発光部材１４を用いたトレース台は携帯性に優れている。
【００２３】
また、本実施例では、ＥＬ発光部材１４を保護するため両面に形成された膜部の少なくとも一面表面を光が散乱するような構造（形状、素材等）としている。また、ＥＬ発光部材１４上に配置される上基板１１に設けられた半透明材から成る原紙載置板１３の少なくとも一面側（ＥＬ発光部材１４との接触部側表面またはトレース用紙が置かれる表面側）の表面を、光が散乱するような構造（形状、素材等）とすることもできる。
【００２４】
かかる光散乱構造を有しているため、次のような効果も得られる。すなわち、原紙載置板１３とＥＬ発光部材１４が密着したときに、密着面の密着状態によっては両者間のわずかな隙間のばらばらな位置での存在に起因して“にじみ”が発生してトレーサーがトレース用紙を明瞭に見ることができないという問題がある。これに対して、本実施例では、原紙載置板１３の少なくとも一面側表面を、光散乱構造としているため“にじみ”を発生することがなく、違和感のないトレース作業が可能となる。
【００２５】
以上、本発明によるトレース台の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２６】
【図１】本発明によるトレース台の一実施例を示す簡略化された斜視図である。
【図２】図１に示す実施例によるトレース台の使用状態を示す斜視図である。
【図３】ＥＬ素子の構造を示す断面図である。
【符号の説明】
【００２７】
１        トレース台
１１      上基板
１２      下基板
１３      原紙載置板
１４      ＥＬ発光部材
１５      電極
１４０    ＥＬ発光層
１４１    アノード
１４２    カソード
１４３    ホール転送層
１４４    電子転送層
【図１】
2005169704.tif 000003
【図２】
2005169704.tif 000004
【図３】
2005169704.tif 000005